(57)【要約】【課題】会議に参加していない情報処理装置から会議端末へ容易にアクセス可能な情報処理装置、会議端末及びその制御方法、並びにプログラムを提供する。【解決手段】携帯端末２００は、情報処理装置に記憶されたファイルであり、複数の会議端末のうちの第２会議端末に送信するファイルをユーザにより選択させ、第１会議端末と通信可能であることを検出し、第１会議端末と通信可能であることが検出されると、第１会議端末から第２会議端末のアドレスを取得し、選択されたファイルを、取得されたアドレス宛にネットワークに接続して送信する。【選択図】図６
2015002516.tif 000002
【特許請求の範囲】
【請求項１】
ネットワークを介して動画及び音声をリアルタイムで互いに送受信する複数の会議端末のうちの第１会議端末と通信可能であり、前記ネットワークに接続可能な情報処理装置であって、
前記情報処理装置に記憶されたファイルであり、前記複数の会議端末のうちの第２会議端末に送信するファイルをユーザにより選択させる選択手段と、
前記第１会議端末と通信可能であることを検出する検出手段と、
前記検出手段により、前記第１会議端末と通信可能であることが検出されると、前記第１会議端末から前記第２会議端末のアドレスを取得する取得手段と、
前記選択手段により選択された前記ファイルを、前記取得手段により取得された前記アドレス宛に前記ネットワークに接続して送信する送信手段と
を備えたことを特徴とする情報処理装置。
【請求項２】
前記取得手段は、前記複数の会議端末の各々のアドレスを取得し、
前記送信手段は、前記取得手段により取得された前記複数の会議端末のアドレスのうち、ユーザに選択された会議端末のアドレス宛に前記ファイルを前記ネットワークに接続して送信することを特徴とする請求項１記載の情報処理装置。
【請求項３】
ネットワークを介して動画及び音声をリアルタイムで互いに送受信する複数の会議端末のうちの会議端末であり、情報処理装置と通信可能な会議端末であって、
前記情報処理装置と通信可能であることを検出する検出手段と、
前記検出手段により、前記情報処理装置と通信可能であることが検出されると、前記情報処理装置から要求された会議端末のアドレスを前記情報処理装置に提供する提供手段と
を備えたことを特徴とする会議端末。
【請求項４】
前記提供手段は、前記複数の会議端末の各々のアドレスを前記情報処理装置に提供することを特徴とする請求項３記載の会議端末。
【請求項５】
ネットワークを介して動画及び音声をリアルタイムで互いに送受信する複数の会議端末のうちの第１会議端末と通信可能であり、前記ネットワークに接続可能な情報処理装置の制御方法であって、
前記情報処理装置に記憶されたファイルであり、前記複数の会議端末のうちの第２会議端末に送信するファイルをユーザにより選択させる選択ステップと、
前記第１会議端末と通信可能であることを検出する検出ステップと、
前記検出ステップにより、前記第１会議端末と通信可能であることが検出されると、前記第１会議端末から前記第２会議端末のアドレスを取得する取得ステップと、
前記選択ステップにより選択された前記ファイルを、前記取得ステップにより取得された前記アドレス宛に前記ネットワークに接続して送信する送信ステップと
を備えたことを特徴とする制御方法。
【請求項６】
前記取得ステップは、前記複数の会議端末の各々のアドレスを取得し、
前記送信ステップは、前記取得ステップにより取得された前記複数の会議端末のアドレスのうち、ユーザに選択された会議端末のアドレス宛に前記ファイルを前記ネットワークに接続して送信することを特徴とする請求項５記載の制御方法。
【請求項７】
ネットワークを介して動画及び音声をリアルタイムで互いに送受信する複数の会議端末のうちの会議端末であり、情報処理装置と通信可能な会議端末の制御方法であって、
前記情報処理装置と通信可能であることを検出する検出ステップと、
前記検出ステップにより、前記情報処理装置と通信可能であることが検出されると、前記情報処理装置から要求された会議端末のアドレスを前記情報処理装置に提供する提供ステップと
を備えたことを特徴とする制御方法。
【請求項８】
前記提供ステップは、前記複数の会議端末の各々のアドレスを前記情報処理装置に提供することを特徴とする請求項７記載の制御方法。
【請求項９】
ネットワークを介して動画及び音声をリアルタイムで互いに送受信する複数の会議端末のうちの第１会議端末と通信可能であり、前記ネットワークに接続可能な情報処理装置の制御方法をコンピュータに実行させるためのプログラムであって、
前記制御方法は、
前記情報処理装置に記憶されたファイルであり、前記複数の会議端末のうちの第２会議端末に送信するファイルをユーザにより選択させる選択ステップと、
前記第１会議端末と通信可能であることを検出する検出ステップと、
前記検出ステップにより、前記第１会議端末と通信可能であることが検出されると、前記第１会議端末から前記第２会議端末のアドレスを取得する取得ステップと、
前記選択ステップにより選択された前記ファイルを、前記取得ステップにより取得された前記アドレス宛に前記ネットワークに接続して送信する送信ステップと
を備えたことを特徴とするプログラム。
【請求項１０】
前記取得ステップは、前記複数の会議端末の各々のアドレスを取得し、
前記送信ステップは、前記取得ステップにより取得された前記複数の会議端末のアドレスのうち、ユーザに選択された会議端末のアドレス宛に前記ファイルを前記ネットワークに接続して送信することを特徴とする請求項９記載のプログラム。
【請求項１１】
ネットワークを介して動画及び音声をリアルタイムで互いに送受信する複数の会議端末のうちの会議端末であり、情報処理装置と通信可能な会議端末の制御方法をコンピュータに実行させるためのプログラムであって、
前記制御方法は、
前記情報処理装置と通信可能であることを検出する検出ステップと、
前記検出ステップにより、前記情報処理装置と通信可能であることが検出されると、前記情報処理装置から要求された会議端末のアドレスを前記情報処理装置に提供する提供ステップと
を備えたことを特徴とするプログラム。
【請求項１２】
前記提供ステップは、前記複数の会議端末の各々のアドレスを前記情報処理装置に提供することを特徴とする請求項１１記載のプログラム。
【発明の詳細な説明】
【技術分野】
【０００１】
本発明は、情報処理装置、会議端末及びその制御方法、並びにプログラムに関する。
【背景技術】
【０００２】
端末をネットワークに接続して画像と音声を双方向に伝送する会議システムが知られている。これに関連して、ネットワーク上のデバイスに関する情報を画面表示する際に、ネットワーク上のデバイスの中から選択されたデバイスと共に、登録された任意のデバイスをも登録デバイスとして画面表示する技術が開示されている（例えば、特許文献１参照）。
【先行技術文献】
【特許文献】
【０００３】
【特許文献１】特開２００３−１５０４６７号公報
【発明の概要】
【発明が解決しようとする課題】
【０００４】
しかしながら、端末をネットワーク接続して画像と音声を双方向に伝送する会議システムにおいて、その会議システムに参加していない端末からの情報共有をする手段が考慮されていなかった。
【０００５】
本発明の目的は、会議に参加していない情報処理装置から会議端末へ容易にアクセス可能な情報処理装置、会議端末及びその制御方法、並びにプログラムを提供することにある。
【課題を解決するための手段】
【０００６】
上記目的を達成するために、請求項１の情報処理装置は、ネットワークを介して動画及び音声をリアルタイムで互いに送受信する複数の会議端末のうちの第１会議端末と通信可能であり、前記ネットワークに接続可能な情報処理装置であって、前記情報処理装置に記憶されたファイルであり、前記複数の会議端末のうちの第２会議端末に送信するファイルをユーザにより選択させる選択手段と、前記第１会議端末と通信可能であることを検出する検出手段と、前記検出手段により、前記第１会議端末と通信可能であることが検出されると、前記第１会議端末から前記第２会議端末のアドレスを取得する取得手段と、前記選択手段により選択された前記ファイルを、前記取得手段により取得された前記アドレス宛に前記ネットワークに接続して送信する送信手段とを備えたことを特徴とする。
【発明の効果】
【０００７】
本発明によれば、会議に参加している会議端末から、ファイルを送信する会議端末のアドレスを取得して、取得したアドレス宛にファイルを送信できるので、会議に参加していない情報処理装置から会議端末へ容易にアクセス可能となる。
【図面の簡単な説明】
【０００８】
【図１】本発明の実施の形態に係る会議システムの概略構成を示す図である。
【図２】図１における会議端末の概略構成を示す図である。
【図３】図１における携帯端末の概略構成を示す図である。
【図４】図１におけるプロジェクタにより表示される画面例を示す図である。
【図５】図５（Ａ）は、携帯端末の表示画面を示し、（Ｂ）は、会議端末のプロジェクタが表示した表示画面を示す図である。
【図６】携帯端末、及び会議端末で実行される処理の手順を示すフローチャートである。
【図７】会議端末が加わり、会議端末が３台となった場合の会議システムの概略構成を示す図である。
【図８】図７における会議端末、及び携帯端末により表示される画面例を示す図である。
【発明を実施するための形態】
【０００９】
以下、本発明の実施の形態について図面を参照しながら詳述する。
【００１０】
図１は、本発明の実施の形態に係る会議システム１の概略構成を示す図である。
【００１１】
図１において、会議システム１は、会議端末１００，３００、及び情報処理装置である携帯端末２００で構成される。会議端末１００と会議端末３００は、ＬＡＮ４０１で接続されている。
【００１２】
また、会議端末１００は、ＮＦＣモジュール１０４、スピーカ１０７、マイク１０６、カメラ１０５、及びプロジェクタ１０８を含む。
【００１３】
会議端末３００は、ＮＦＣモジュール３０４、スピーカ３０７、マイク３０６、カメラ３０５、及びプロジェクタ３０８を含む。これら構成の詳細については後述する。
【００１４】
図１に示した構成により、会議システム１は、ネットワークであるＬＡＮ４０１を介して動画及び音声をリアルタイムで互いに送受信する複数の会議端末を備えている。
【００１５】
図２は、図１における会議端末１００，３００の概略構成を示す図である。
【００１６】
図２において、会議端末１００は、ＣＰＵ１０１、ＲＡＭ１０３、ＲＯＭ１０２、ＮＦＣモジュール１０４、スピーカ１０７、マイク１０６、カメラ１０５、プロジェクタ１０８、ＬＡＮインタフェース１０９、及びＷＩＦＩインタフェース１１０で構成される。
【００１７】
会議端末３００は、ＣＰＵ３０１、ＲＡＭ３０３、ＲＯＭ３０２、ＮＦＣモジュール３０４、スピーカ３０７、マイク３０６、カメラ３０５、プロジェクタ３０８、ＬＡＮインタフェース３０９、及びＷＩＦＩインタフェース３１０で構成される。
【００１８】
会議端末１００，３００のいずれも同じ構成であるので、ここでは会議端末１００を用いて構成について説明する。
【００１９】
ＣＰＵ１０１は、会議端末１００全体を制御する。ＲＯＭ１０２には、会議端末１００のブートプログラムや、後述するフローチャートを実行するためのプログラムなどが記憶される。ＲＡＭ１０３には、ＲＯＭ１０２から展開されたプログラムや一時的なデータが記憶される。ＣＰＵ１０１は、ＲＯＭ１０２に記憶されたプログラムをＲＡＭ１０３に展開することで、プログラムが示す処理を実行する。
【００２０】
ＮＦＣモジュール１０４は、近距離無線通信を行うためのモジュールであり、本実施の形態では、携帯端末２００と通信する。カメラ１０５は動画を撮影する。マイク１０６は音声を取得する。スピーカ１０７は音声を出力する。プロジェクタ１０８は、動画を表示する。ＬＡＮインタフェース１０９は、ＬＡＮ４０１と接続するためのインタフェースである。ＷＩＦＩインタフェース１１０は、ＩＥＥＥ８０２．１１規格で通信するためのインタフェースである。
【００２１】
図２では、さらにＷＩＦＩアクセスポイント４０２とＤＨＣＰサーバ４００とがＬＡＮ４０１に接続されている。ＷＩＦＩアクセスポイント４０２は、携帯端末２００とＬＡＮ４０１とを接続するようになっている。ＤＨＣＰサーバ４００は、ＬＡＮ４０１に接続された会議端末１００，３００などにＩＰアドレスを割り当てる。
【００２２】
ＤＨＣＰサーバ４００から割り当てられた会議端末１００，３００のＩＰアドレスは、それぞれＲＡＭ１０３，３０３に記憶される。なお、会議端末１００，３００は、会議を行うために、会議相手のＩＰアドレスもそれぞれＲＡＭ１０３，３０３に記憶している。
【００２３】
以上の構成により、会議端末１００のカメラ１０５が動画を取得し、マイク１０６で音声を取得し、会議端末３００に送信される。スピーカ１０７では、会議端末３００から送信されてくる音声を再生し、プロジェクタ１０８では会議端末３００から送信されてくる動画を再生する。
【００２４】
図３は、図１における携帯端末２００の概略構成を示す図である。
【００２５】
図３において、携帯端末２００は、ＣＰＵ５０１、ＲＡＭ５０３、ＲＯＭ５０２、ＮＦＣモジュール５０４、スピーカ５０７、マイク５０６、カメラ５０５、電話回線通信部５０８、操作表示部５０９、及びＷＩＦＩインタフェース５１０で構成される。
【００２６】
ＣＰＵ５０１は、携帯端末２００全体を制御する。ＲＯＭ５０２には、携帯端末２００のブートプログラムや、後述するフローチャートを実行するためのプログラムなどが記憶される。ＲＡＭ５０３には、ＲＯＭ５０２から展開されたプログラムや一時的なデータが記憶される。ＣＰＵ５０１は、ＲＯＭ５０２に記憶されたプログラムをＲＡＭ５０３に展開することで、プログラムが示す処理を実行する。
【００２７】
ＮＦＣモジュール５０４は、近距離無線通信を行うためのモジュールであり、本実施の形態では、会議端末１００と通信する。カメラ５０５は静止画及び動画を撮影する。マイク５０６は音声を取得する。スピーカ５０７は音声を出力する。電話回線通信部５０８は、電話回線と接続するための通信部であり、アンテナなどを含む。
【００２８】
操作表示部５０９は、液晶ディスプレイとタッチパネルで構成され、ユーザに情報を表示したり、ユーザの操作を受け付ける。ＷＩＦＩインタフェース５１０は、ＩＥＥＥ８０２．１１規格で通信するためのインタフェースである。
【００２９】
このように、本実施の形態に係る携帯端末２００は、ネットワークであるＬＡＮ４０１を介して動画及び音声をリアルタイムで互いに送受信する複数の会議端末１００，３００のうちの第１会議端末である会議端末１００と通信可能であり、ＬＡＮ４０１に接続可能な携帯端末となっている。
【００３０】
図４は、図１におけるプロジェクタ１０８，３０８により表示される画面例を示す図である。
【００３１】
図４（Ａ）は、会議端末１００のプロジェクタ１０８が表示する会議端末３００から受信した動画を示す図である。
【００３２】
図４（Ｂ）は、会議端末３００のプロジェクタ３０８が表示する会議端末１００から受信した動画を示す図である。
【００３３】
図４に示されるように、互いに相手のカメラで撮影された動画が表示されるようになっている。
【００３４】
図５（Ａ）は、携帯端末２００の表示画面を示し、（Ｂ）は、会議端末３００のプロジェクタ３０８が表示した表示画面を示す図である。
【００３５】
図５（Ａ）において表示されている画面は、携帯端末２００に記憶されているファイルを選択し、送信するための画面である。ユーザは送信するファイルを、そのファイルのファイル名を押下することで選択できる。選択したのち、ユーザが送信ボタンを押下することで、会議端末３００に選択されたファイルが送信される。
【００３６】
ファイルを送信するためには、会議端末３００のＩＰアドレスを知る必要があるので、ファイル選択後、ユーザは携帯端末２００を会議端末１００のＮＦＣモジュール１０４へかざす。
【００３７】
これにより、携帯端末２００は、ＮＦＣモジュール１０４と通信し、ＲＡＭ１０３に記憶されている会議端末３００のＩＰアドレスを取得する。
【００３８】
そして、ＷＩＦＩアクセスポイント４０２、及びＬＡＮ４０１を経由して、ファイルが会議端末３００に送信される。
【００３９】
送信されたファイル名がファイル１とすると、図５（Ｂ）に示されるように、会議端末３００でファイル１の画像が表示されることとなる。また、会議端末１００から受信した動画も右下隅に縮小して表示される。
【００４０】
図６は、携帯端末２００、及び会議端末１００，３００で実行される処理の手順を示すフローチャートである。
【００４１】
図６（Ａ）は、図３におけるＣＰＵ５０１により実行される携帯端末２００の送信処理の手順を示すフローチャートである。
【００４２】
図６において、送信するファイルがユーザにより選択され（ステップＳ１０１）、ユーザにより会議端末１００に携帯端末２００がかざされることで、会議端末１００のＮＦＣモジュール１０４を検出すると（ステップＳ１０２でＹＥＳ）、会議端末１００のＩＰアドレスを取得する（ステップＳ１０３）。
【００４３】
そして、ユーザにより送信ボタンが押下されると（ステップＳ１０４でＹＥＳ）、選択されたファイルを取得したＩＰアドレス宛にＷＩＦＩで送信して（ステップＳ１０５）、本処理を終了する。
【００４４】
上記ステップＳ１０１は、携帯端末２００に記憶されたファイルであり、複数の会議端末のうちの第２会議端末である会議端末３００に送信するファイルをユーザにより選択させる選択手段に対応する。また、ステップＳ１０２は、第１会議端末である会議端末１００と通信可能であることを検出する検出手段に対応する。さらに、上記ステップＳ１０３は、第１会議端末である会議端末１００から第２会議端末である会議端末３００のアドレスを取得する取得手段に対応する。また、ステップＳ１０５は、選択されたファイルを、取得されたアドレス宛にネットワークに接続して送信する送信手段に対応する。
【００４５】
なお、上記送信処理では、ファイルを選択させてから、会議端末１００からＩＰアドレスを取得しているが、会議端末１００からＩＰアドレスを取得してから、ファイルを選択させ、送信するようにしてもよい。さらに、ファイルを選択させ、送信ボタンが押下された後に、ＩＰアドレスを取得し、送信するようにしてもよい。
【００４６】
図６（Ｂ）は、図２におけるＣＰＵ１０１により実行される会議端末１００のアドレス提供処理の手順を示すフローチャートである。
【００４７】
図６（Ｂ）において、会議の相手である会議端末３００のＩＰアドレスを取得し、会議端末３００に接続する（ステップＳ２０１）。このとき、会議端末３００のＩＰアドレスは、ＲＡＭ１０３に記憶される。
【００４８】
会議端末３００と接続されたことにより、会議端末３００から受信した動画を表示する（ステップＳ２０２）。このとき、動画だけではなく、音声も出力されるとともに、自らのカメラ１０５で撮影された動画、及びスピーカ１０７で取得された音声はリアルタイムで会議端末３００に送信される。
【００４９】
次いで、ユーザにより会議端末１００に携帯端末２００がかざされることで、携帯端末２００のＮＦＣモジュール５０４を検出すると（ステップＳ２０３でＹＥＳ）、会議端末３００のＩＰアドレスを携帯端末２００に提供し（ステップＳ２０４）、本処理を終了する。
【００５０】
上記ステップＳ２０３は、携帯端末２００と通信可能であることを検出する検出手段に対応する。また、ステップＳ２０４は、携帯端末２００と通信可能であることが検出されると、携帯端末２００から要求された会議端末３００のアドレスを携帯端末２００に提供する提供手段に対応する。
【００５１】
図６（Ｃ）は、図２におけるＣＰＵ３０１により実行される会議端末３００の受信処理の手順を示すフローチャートである。
【００５２】
図６（Ｃ）において、会議の相手である会議端末１００のＩＰアドレスを取得し、会議端末１００に接続する（ステップＳ３０１）。
【００５３】
会議端末１００と接続されたことにより、会議端末１００から受信した動画を表示する（ステップＳ２０２）。このとき、動画だけではなく、音声も出力されるとともに、自らのカメラ３０５で撮影された動画、及びスピーカ３０７で取得された音声は会議端末１００にリアルタイムで送信される。
【００５４】
次いで、携帯端末２００からファイルを受信すると（ステップＳ３０３でＹＥＳ）、図５（Ｂ）に示したように、受信したファイルを表示して（ステップＳ３０４）、本処理を終了する。上記ステップＳ３０３は、ネットワークを介してファイルを受信する受信手段に対応する。また、ステップＳ３０４は、受信されたファイルの画像を表示するように制御する表示制御手段に対応する。
【００５５】
なお、上述した処理では、携帯端末２００は、会議端末３００にファイルを送信する処理であるが、会議端末１００にファイルを送信することも当然に可能である。
【００５６】
以上説明した実施の形態では、会議端末が２つで携帯端末が１つという構成であったが、会議端末が３台以上となっても同様に処理することができる。
【００５７】
図７は、会議端末６００が加わり、会議端末が３台となった場合の会議システム２の概略構成を示す図である。
【００５８】
図７において、新たな会議端末６００の構成は、図２で説明した会議端末１００の構成と同じであり、ＬＡＮ４０１に接続されている。
【００５９】
図８は、図７における会議端末１００，３００，６００、及び携帯端末２００により表示される画面例を示す図である。
【００６０】
図８（Ａ）は、携帯端末２００が表示する会議端末３００，６００から受信した動画を示す図である。
【００６１】
図８（Ａ）において表示されている画面では、新たに宛先を選択するための宛先ボタンが加わっている。ユーザが宛先ボタンを押下すると、選択されたボタンに対応する会議端末１００，３００，６００のいずれかにファイルが送信される。図８では、ユーザが会議端末６００に送信したとする。
【００６２】
このように、携帯端末２００は、複数の会議端末の各々のアドレスを取得し、取得された複数の会議端末のアドレスのうち、ユーザに選択された会議端末のアドレス宛にファイルをネットワークに接続して送信する。また、会議端末１００は、複数の会議端末の各々のアドレスを携帯端末２００に提供する。
【００６３】
図８（Ｂ）は、会議端末１００が表示する会議端末３００，６００から受信した動画を示す図である。
【００６４】
会議端末３００，６００から受信した動画が、１つの会議端末と会議をする際に表示される動画の大きさと比較して、縮小されて表示される。
【００６５】
図８（Ｃ）は、会議端末３００が表示する会議端末１００，６００から受信した動画を示す図である。
【００６６】
会議端末１００，６００から受信した動画が、１つの会議端末と会議をする際に表示される動画の大きさと比較して、縮小されて表示される。
【００６７】
図８（Ｃ）は、会議端末６００が表示する会議端末１００，３００から受信した動画、及び携帯端末２００から受信したファイルを示す図である。
【００６８】
送信されたファイルのファイル名がファイル１とすると、図に示されるように、会議端末６００でファイル１の画像が表示されることとなる。また、会議端末１００，３００から受信した動画も右下隅に縮小して表示される。
【００６９】
以上説明した実施の形態によれば、会議に参加している会議端末１００から、ファイルを送信する会議端末３００のアドレスを取得して、取得したアドレス宛にファイルを送信できるので、会議に参加していない携帯端末２００から会議端末３００へ容易にアクセス可能となる。
【００７０】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７１】
１，２  会議システム
１００  会議端末
１０１，３０１  ＣＰＵ
１０２，３０２  ＲＯＭ
１０３，３０３  ＲＡＭ
１０４，３０４，５０４  ＮＦＣモジュール
１１０，３１０，５１０  ＷＩＦＩインタフェース
２００  携帯端末
３００  会議端末
６００  会議端末
４０１  ＬＡＮ
【図１】
2015002516.tif 000003
【図２】
2015002516.tif 000004
【図３】
2015002516.tif 000005
【図４】
2015002516.tif 000006
【図５】
2015002516.tif 000007
【図６】
2015002516.tif 000008
【図７】
2015002516.tif 000009
【図８】
2015002516.tif 000010